【事件の表示】
　平成　６年特許願第１６０８６１号「ケトン体尿中排泄促進剤」拒絶査定不服審判事件〔平成　８年　１月３０日出願公開、特開平　８−　２６９８８〕について、次のとおり審決する。
【結　論】
　本件審判の請求は、成り立たない。
【理　由】
１．手続の経緯
　本願は、平成６年７月１３日の出願であって、平成１６年９月２９日付で拒絶査定がなされ、これに対し、平成１６年１１月４日に審判請求がなされたものである。
　
２．本願発明
　本願の請求項１に係る発明（以下、「本願発明」という。）は、平成１２年９月１９日付け手続補正書により補正された特許請求の範囲の請求項１に記載された次のとおりのものと認める。
　
「不飽和脂肪酸基が全脂肪酸基の８０重量％以上である炭素数１４〜２２の脂肪酸とグリセリンとのジエステルを有効成分とするケトン体尿中排泄促進剤」　
　
３．引用例の記載事項
　これに対し、原査定の拒絶の理由に引用された、本願出願日前に頒布された刊行物である特開平４−３００８２６号公報（以下、「刊行物」という。）には、以下の事項が記載されている。
　
［イ］「【請求項１】ジグリセリドを有効成分とする体重増加抑制剤。」
（特許請求の範囲の請求項１）
　
［ロ］「本発明は、体重増加抑制剤に関し、更に詳細には脂質の過剰摂取による肥満を防止し、体重の増加を抑制する薬剤に関する。」（第２頁【０００１】）　
［ハ］「本発明の体重増加抑制剤に用いられるジグリセリドとしては、例えば次の一般式（１）・・・［式中、Ｒ１、Ｒ２及びＲ３のうち２個は炭素数１２〜２２の飽和脂肪酸又は不飽和脂肪酸由来のアシル基を示し、残余は水素原子を示す］で表されるジグリセリドから選ばれる１種又は２種以上が挙げられる。かかる飽和脂肪酸又は不飽和脂肪酸としては、・・・等が挙げられる。より好ましくは、炭素数１６〜２０の不飽和脂肪酸由来のアシル基を有するジグリセリドである。・・・かかるジグリセリドの製造法は、・・・エステル交換反応の具体例を挙げれば、リノール酸高含有トリグリセリド１００部とリノレン酸高含有トリグリセリド１００部との混合物に精製グリセリン３０〜１００部・・・を配合し、触媒としてＣａ（ＯＨ）２を０．２部添加し、・・・ランダムエステル交換反応を行う。・・・蒸留残さ物として濃度８５％のジグリセリドを得る。」（第２頁【０００６】〜【０００９】）
　
［ニ］「本発明の体重増加抑制剤は、経口、非経口の何れの方法によっても投与することができ、・・・投与量は通常成人においてジグリセリドとして１日１ｇ〜７０ｇであるが、年齢、症状等により増減することができる。なお、好ましい投与形態は通常の食事への添加であり、食事成分中の脂質５０重量％以上をジグリセリドに置き換えるのが好ましい。」（第３頁【００１２】〜【００１３】）
　
［ホ］「ジグリセリドの製造：なたね油（ヨウ素価１６８）３７５ｇにグリセリン１２５ｇを配合し、全系に対して０．１重量％の水酸化カルシウムを添加して、・・・ランダムエステル交換反応を行った。・・・本発明に適するジグリセリドを含有する反応生成物を１６５ｇ得た。」（第３頁【００１５】）
　第３頁、表１には、反応生成物のグリセリドの脂肪酸組成が記載されており、不飽和脂肪酸は、炭素数１８・二重結合数１のものが４９％、炭素数１８・二重結合数２のものが２９％、炭素数１８・二重結合数３のものが１０％含まれていることが示されている。第３頁、表２には、反応生成物の含有分子種として、モノグリセリドが２％、ジグリセリドが７９％、トリグリセリドが１５％含まれていることが示されている。
　
［ヘ］「実施例１　表３の組成の食餌を雄性ｄｄＹマウスに１００日間投与し、体重変動を追跡した。・・・表４より、ジグリセリド食群に比べ、飼料は多く摂取しているにもかかわらず、体重は低下しており、ジグリセリドに体重増加抑制作用があることが明らかとなった。」（第４頁【００１８】〜【００２２】）
　
４．対比・判断
ｉ）刊行物には、ジグリセリドを有効成分とする体重増加抑制剤（以下、「引用例発明」という。）が記載（前記［イ］［ロ］［ヘ］）されている。引用例発明の有効成分であるジグリセリドは、炭素数１２〜２２の飽和脂肪酸又は不飽和脂肪酸由来の２個のアシル基を有しており、より好ましくは、炭素数１６〜２０の不飽和脂肪酸由来のアシル基を有するもの（前記［ハ］）である。そして、実施例１の体重変動の実験に使用されているジグリセリドは、なたね油とグリセリンとをエステル交換反応して製造されたものであって、該反応生成物の脂肪中にジグリセリドを７９％含むものであり、その脂肪酸組成は、炭素数１８の不飽和脂肪酸を８８％（４９％＋２９％＋１０％）含むものである（前記［ホ］）。他方、本願発明の有効成分であるジエステルは、不飽和脂肪酸基が全脂肪酸基の８０重量％以上である炭素数１４〜２２の脂肪酸とグリセリンとのジエステルであって、該ジエステルは、ジグリセリド単独であってもよいが、モノグリセリドあるいはトリグリセリドとの混合物であってもよく、ただし、その場合には全グリセリド中の５０重量％以上がジグリセリドであることが望ましい旨、本願明細書に記載（段落【０００８】）されている。
ii）そこで、本願発明と引用例発明とを対比するところ、刊行物発明の有効成分である、ジグリセリドは、本願発明の有効成分である「不飽和脂肪酸基が全脂肪酸基の８０重量％以上である炭素数１４〜２２の脂肪酸とグリセリンとのジエステル」を含むものと認められるから、本願発明と引用例発明とは「不飽和脂肪酸基が全脂肪酸基の８０重量％以上である炭素数１４〜２２の脂肪酸とグリセリンとのジエステルを有効成分とする薬剤」である点で一致し、前者がケトン体尿中排泄促進剤であるのに対し、後者が体重増加抑制剤である点で相違する。
iii）以下、この相違点について検討する。
　本願明細書には、以下の記載がある。
［Ａ］「本発明者らは脂肪の摂取と尿中ケトン体排泄量との関係について種々検討した結果、意外にもジグリセリドがトリグリセリドに比べて
脂肪の体内蓄積性を減じ、
［Ｂ］「本発明のケトン体尿中排泄促進剤は経口投与することができ、・・・投与量は通常成人においてジグリセリドとして１日１ｇ〜７０ｇであるが、年齢、症状等により増減することができる。また、本発明においては、通常の食事成分、栄養剤中のトリグリセリドをジグリセリドに置き換えることによっても投与することができる。」（段落【００１２】〜【００１３】）
［Ｃ］「表５〜表８より、
運動負荷しないラット
食餌又は体脂肪由来の脂肪酸をケトン体に変え、尿中へ排泄し、脂肪の体蓄積を抑制して
運動を負荷したラット
運動時においてもジグリセリドは体内への脂肪酸を利用して体内への蓄積を抑制し
［Ｄ］「本発明の薬剤を投与すれば、ＴＣＡサイクル及び糖代謝を促進させ、ケトン体に正常な尿中への排泄を促進させることができる。従って、
肥満防止、
　すなわち、本願明細書には、本願発明のケトン体尿中排泄促進剤が、
脂肪の体内蓄積性を減じ、
食餌又は体脂肪由来の脂肪酸をケトン体に変え、尿中へ排泄して高値を示したこと、また、
脂肪酸の体内への蓄積を抑制し
　そうすると、本願発明のケトン体尿中排泄促進剤は、ケトン体の尿中への排泄を促進するという生理作用の結果として、脂肪の体内蓄積を抑制し、肥満を防止するという効果を生じるところ、肥満防止は、体重の増加を抑制することと、実質的に同じ生理作用の結果を異なる表現によって示したのもと認められるから、結局、本願発明のケトン体尿中排泄促進剤は、「体重増加抑制剤」としての態様を含むものと認められる。また、本願発明と引用例発明の、投与方法及び投与量においても差違は見出せない（前記［ニ］［Ｂ］）。
　したがって、本願発明と引用例発明の相違点に係る構成は、両者における実質的な相違点とはならないから、本願発明は、引用例発明と実質的に同一と認める。
　
５．むすび
　以上のとおり、本願発明は、刊行物に記載された発明であるから、特許法第２９条第１項第３号に該当し、特許を受けることができない。
　よって、結論のとおり審決する。